(57)【要約】【課題】縫合糸を取り出す際にもつれない新規縫合糸包装を提供する。【解決手段】外科用縫合糸を保管するための外科用縫合糸パッケージが提供される。このパッケージは、互いの上に折り畳むように適合されて内部ポケットを形成する複数のパネルを含む外部ジャケット、およびこのポケット内に位置決めするための内部保持具を備える。この内部保持具は、少なくとも１つの縫合糸を支持するための主支持パネル、および主支持パネルの個々の対向するより長い辺に沿って主支持パネルに折畳み可能に接続される一対の側方支持パネルを含む。この側方支持パネルは、主支持パネル上に折り畳まれるように適合され、少なくとも１つの縫合糸を少なくとも部分的に囲む。上記パッケージは、主支持パネルのより短い辺に沿って主支持パネルに折畳み可能に接続されるカバーパネル、および閉鎖パネルの列をさらに備える。【選択図】図２
2007275568.tif 000002
【特許請求の範囲】
【請求項１】
少なくとも１つの外科用縫合糸を保管するための外科用縫合糸パッケージであって：
互いに折畳み可能に接続され、そして互いの上に折り畳むように適合されて内部ポケットを形成する複数のパネルを含む外部ジャケット；および
該外部ジャケットのポケット内に位置決めするための内部保持具を備え、該内部保持具が：
支持パネルの列であって、該支持パネルが、該少なくとも１つの縫合糸を支持するための主支持パネル、および該主支持パネルの個々の対向するより長い辺に沿って該主支持パネルに折畳み可能に接続される一対の側方支持パネルを含み、それによって、該側方支持パネルが該主支持パネル上に折り畳まれるように適合され、該少なくとも１つの縫合糸を少なくとも部分的に囲む支持パネルの列；
該主支持パネルのより短い辺に沿って該主支持パネルに折畳み可能に接続されるカバーパネルであって、該支持パネル上に折り畳まれるように適合されているカバーパネル；および
閉鎖パネルの列であって、該閉鎖パネルが、主閉鎖パネルであって、該主閉鎖パネルの第２のより短い辺に沿って該主支持パネルに折畳み可能に接続される主閉鎖パネル、および該主閉鎖パネルの個々の対向するより長い辺に沿って該主閉鎖パネルに折畳み可能に接続される一対の側方閉鎖パネルを含み、それによって、該主閉鎖パネルが該主支持パネルの第２のより短い辺に沿って該主支持パネル上に折り畳まれるように適合され、そして該側方閉鎖パネルが該主閉鎖パネルのより長い辺に沿って折り畳まれるように適合され、該支持パネルおよびカバーパネルを少なくとも部分的に囲む、閉鎖パネルの列、を備える、縫合糸パッケージ。
【請求項２】
前記側方閉鎖パネルを、前記支持パネルおよびカバーパネルを少なくとも部分的に囲む折り畳まれた状態に保持する手段を含む、請求項１に記載の縫合糸パッケージ。
【請求項３】
前記側方閉鎖パネルが、該側方閉鎖パネルを、前記支持パネルおよびカバーパネルを少なくとも部分的に囲む折り畳まれた状態に離脱可能に保持するためのタブおよびスロット配列を含む、請求項１に記載の縫合糸パッケージ。
【請求項４】
前記外部ジャケットが、互いに折畳み可能に接続され、前記ポケットを規定する少なくとも２つの外部パネルを含む、請求項１に記載の縫合糸パッケージ。
【請求項５】
前記外部ジャケットが、互いに折畳み可能に接続され、前記ポケットを規定する３つの外部パネルの列を含み、該外部パネルが、中央外部パネルおよび該中央外部パネルの個々のより長い辺に折畳み可能に接続される側方外側パネルを含む、請求項４に記載の縫合糸パッケージ。
【請求項６】
前記側方外部パネルが、前記外部パネルを折り畳まれた状態に保持するためのタブおよびスロット配列を含む、請求項５に記載の縫合糸パッケージ。
【請求項７】
前記側方外部パネルが、各々、ガセットにより前記中央外部パネルに接続される、請求項６に記載の縫合糸パッケージ。
【請求項８】
前記外側ジャケットが、前記側方外側パネルの１つのより短い辺に接続される上部パネルを含み、該上部パネルが、その中間折畳み線に沿って折り畳まれ、外側囲壁によって形成される前記ポケットを実質的に囲むように適合される、請求項７に記載の縫合糸パッケージ。
【請求項９】
前記上部パネルが、前記側方パネルまたは中央外部パネルの他方のより短い辺を受容するような寸法のロックスリットを含む、請求項８に記載の縫合糸パッケージ。
【請求項１０】
前記カバーパネルが、前記少なくとも１つの縫合糸の縫合糸端部部分を受容および支持するための縫合糸受容スロットを含む、請求項８に記載の縫合糸パッケージ。
【請求項１１】
前記少なくとも１の縫合糸に取り付け可能な縫合糸クリップを含む、請求項１に記載の縫合糸パッケージ。
【請求項１２】
前記内部保持具内に支持される複数の縫合糸を含み、前記縫合糸クリップが、該縫合糸の各端部部分に接続される、請求項１１に記載の縫合糸パッケージ。
【請求項１３】
外側囲壁を含み、該外側囲壁が、その折り畳まれた状態で前記内部保持具部材および前記外部ジャケットを受容するためのパウチを規定する、請求項１に記載の縫合糸パッケージ。
【請求項１４】
複数の外科用ニードル縫合糸のための縫合糸パッケージであって：
複数の支持パネルを含む第１の列であって、該支持パネルが、複数のニードル縫合糸を支持するための主支持パネル、および該主支持パネルの個々の対向するより長い辺に沿って該主支持パネルに折畳み可能に接続される一対の側方支持パネルを含み、それによって、該側方支持パネルが該主支持パネル上に折り畳まれ該縫合糸を少なくとも部分的に囲む第１の列；
カバーパネルを含む第２の列であって、該カバーパネルが該主支持パネルの第１のより短い辺に沿って該主支持パネルに折畳み可能に接続され、それによって、該カバーパネルが該支持パネル上に折り畳まれるように適合される第２の列；および
該縫合糸の端部部分の各々に取り付け可能であり、該支持パネルからの該縫合糸の同時取り出しを許容する縫合糸クリップ、を備える、縫合糸パッケージ。
【請求項１５】
複数の閉鎖パネルを有する第３の列を含み、該閉鎖パネルが、主閉鎖パネルであって、該主閉鎖パネルの第２のより短い辺に沿って前記主支持パネルに折畳み可能に接続される主閉鎖パネル、および該主閉鎖パネルの個々の対向するより長い辺に沿って該主閉鎖パネルに折畳み可能に接続される一対の側方閉鎖パネルを含み、それによって、該主閉鎖パネルが該主支持パネルの第２のより短い辺に沿って前記カバーパネル上に折り畳まれ、そして該側方閉鎖パネルが該主閉鎖パネルのより長い辺に沿って折り畳まれるように適合され、該支持パネルおよびカバーパネルを少なくとも部分的に囲む、請求項１４に記載の縫合糸パッケージ。
【請求項１６】
前記縫合糸クリップが、前記ニードルの近位方向にある縫合糸端部部分に取り付け可能である、請求項１５に記載の縫合糸パッケージ。
【請求項１７】
外側ジャケットを含み、該外側ジャケットが互いに対して折畳み可能に接続され、そして互いの上に折り畳まれて内部ポケットを形成するように適合された少なくとも２つの外部パネルを有し、該内部ポケットが、前記支持パネル、カバーパネルおよび閉鎖パネルを、その折り畳まれた状態で少なくとも部分的に収容するよう適合されている、請求項１４に記載の縫合糸パッケージ。
【請求項１８】
前記外側ジャケットが、３つのパネルを含む、請求項１５に記載の縫合糸パッケージ。
【請求項１９】
少なくとも１つの縫合糸を包装する方法であって：
内部保持部材を提供する工程であって、該内部保持部材が：
主支持パネル、および該主支持パネルに該主支持パネルの個々の対向する主エッジに沿って折畳み可能に接続される一対の側方支持パネルを有する支持パネルの列；および
該主パネルのより小さいエッジに沿って該主支持パネルに折畳み可能に接続されるカバーパネルを備える工程；
該支持パネルの列の主支持パネル上に複数の縫合糸を配置する工程；
該縫合糸の各縫合糸の端部部分に縫合糸クリップを取り付ける工程；
少なくとも部分的に該縫合糸を囲むように該側方支持パネルを、該主エッジに沿って該主支持パネル上に折り畳む工程；
該主支持パネルのより小さいエッジに沿って該カバーパネルを折り畳む工程であって、それによって、該カバーパネルが該支持パネルを少なくとも部分的に覆う工程；および
該縫合糸端部部分および該縫合糸クリップを、該支持パネルの後部側面に隣接して、該縫合糸端部部分および該縫合糸クリップが接近可能であるように位置決めする工程、を包含する、方法。
【請求項２０】
前記内部保持部材が、閉鎖パネルの列を含み、該閉鎖パネルが、主閉鎖パネルであって、該主閉鎖パネルの第２のより短いエッジに沿って該主支持パネルに折畳み可能に接続される主閉鎖パネル、および該主閉鎖パネルの個々に対向するより長いエッジに沿って該主閉鎖パネルに折畳み可能に接続される一対の側方閉鎖パネルを含み、そしてさらに、該主閉鎖パネルを、該主支持パネルの第２のより短いエッジに沿って該主支持パネル上に折り畳み、そして該側方閉鎖パネルを、該主閉鎖パネルのより長いエッジに沿って折畳み、前記支持パネルおよびカバーパネルを少なくとも部分的に囲む工程を包含する、請求項１９に記載の方法。
【請求項２１】
前記配置する工程が、複数の縫合糸を前記主支持パネル上に巻きつけること包含する、請求項１９に記載の方法。
【請求項２２】
外部ジャケットを提供する工程をさらに含み、該外部ジャケットが互いに折畳み可能に接続されポケットを規定する複数の外側パネルを含み、そしてさらに、前記内部保持部材を、該外部ジャケットのポケット内で折り畳まれた状態で位置決めする工程をさらに含む、請求項１９に記載の方法。
【発明の詳細な説明】
【技術分野】
【０００１】
（技術分野）
本開示は、一般に外科用縫合糸包装、そしてより詳細には、少なくとも１つの縫合糸を保持するための折り畳み可能な縫合糸パッケージに関する。
【背景技術】
【０００２】
（背景）
取り付けられたニードルをもつ縫合糸のための外科用パッケージは、当該分野で広く知られている。２つの一般に用いられる縫合糸パッケージは、成形されたプラスチック保持具および折り畳まれた紙保持具を含む。従来の成形されたプラスチック保持具は、複数の縫合糸を受容するための成形されたチャネル（例えば、長円（ｒａｃｅｔｒａｃｋ）チャネル）を組み込み、そしてこれら縫合糸に取り付けられたニードルを取り付けるためのニードルパークを取り込む。折り畳まれた紙保持具は、一般に、板紙、ファイバーボードまたはその他の適切な材料から構築され、そして折り畳まれてその中に巻かれた縫合糸（単数または複数）が配置される囲壁（ｅｎｖｅｌｏｐｅ）を形成する複数のパネルを取り込む。
【発明の開示】
【発明が解決しようとする課題】
【０００３】
成形されたプラスチック保持具は、種々のサイズの取り付けられたニードルをもつ多数の縫合糸を受容し得る一方で、折り畳まれた紙保持具は、一般に、プラスチック保持具より費用効果的であり、そして浪費的でない。しかし、従来の折り畳まれた紙保持具の欠点は、この保持具を開く際、そして保管された縫合糸に接近および取り出す際の困難さを含む。さらに、いくつかの縫合糸が折り畳まれた紙保持具に保管される場合、これらの縫合糸は、提供物がこれら縫合糸を分離して維持するようにされない場合にもつれる傾向を有する。
【課題を解決するための手段】
【０００４】
（要約）
従って、本開示は、外科用縫合糸包装における改良に関する。１つの好ましい実施形態では、少なくとも１つの外科用縫合糸を保管するための外科用縫合糸パッケージは、互いに折畳み可能に接続され、そして互いの上に折り畳むように適合されて内部ポケットを形成する複数のパネルを含む外部ジャケット、およびこの外部ジャケットのポケット内に位置決めするための内部保持具を備える。この内部保持具は、少なくとも１つの縫合糸を支持するための主支持パネル、およびこの主支持パネルの個々の対向するより長い辺に沿ってこの主支持パネルに折畳み可能に接続される一対の側方支持パネルを有する支持パネルの列を含む。この側方支持パネルは、上記主支持パネル上に折り畳まれるように適合されており、少なくとも１つの縫合糸を少なくとも部分的に囲む。カバーパネルが、上記主支持パネルのより短い辺に沿ってこの主支持パネルに折畳み可能に接続され、そして上記支持パネル上に折り畳まれるように適合されている。主閉鎖パネルを含む閉鎖パネルの列は、主閉鎖パネルの第２のより短い辺に沿ってこの主支持パネルに折畳み可能に接続される主閉鎖パネル、および一対の側方閉鎖パネルは、この主閉鎖パネルの個々の対向するより長い辺に沿ってこの主閉鎖パネルに折畳み可能に接続されるを含む。この主閉鎖パネルは、上記主支持パネルの第２のより短い辺に沿って上記主支持パネル上に折り畳まれるように適合され、そして上記側方閉鎖パネルは、上記主閉鎖パネルのより長い辺に沿って折り畳まれるように適合され、上記支持パネルおよびカバーパネルを少なくとも部分的に囲む。
【０００５】
上記側方閉鎖パネルを、上記支持パネルおよびカバーパネルを少なくとも部分的に囲む折り畳まれた状態に保持する手段が提供され得る。あるいは、上記側方閉鎖パネルは、この側方閉鎖パネルを、上記支持パネルおよびカバーパネルを少なくとも部分的に囲む折り畳まれた状態で離脱可能に保持するためのタブおよびスロット配列を含む。
【０００６】
上記外部ジャケットは、互いに折畳み可能に接続され、上記ポケットを規定する少なくとも２つの外部パネルを含む。好ましくは、この外部ジャケットは、互いに折畳み可能に接続され、上記ポケットを規定する３つの外部パネルの列を含む。この外部パネルは、中央外部パネルおよびこの中央外部パネルの個々のより長い辺に折畳み可能に接続される側方外側パネルを含む。この側方外部パネルは、上記外部パネルを折り畳まれた状態に保持するためのタブおよびスロット配列を含む。この側方外部パネルは、各々、ガセットにより上記中央外部パネルに接続され得る。上記外側ジャケットは、上記側方外側パネルの１つのより短い辺に接続される上部パネルをさらに含み得る。この上部パネルは、その中間折畳み線に沿って折り畳まれ、外側囲壁によって形成される上記ポケットを実質的に囲むように適合されている。上記上部パネルは、上記側方パネルまたは中央外部パネルの他方のより短い辺を受容するような寸法のロックスリットを含み得る。
【０００７】
上記内部保持具のカバーパネルは、上記少なくとも１つの縫合糸の縫合糸端部部分を受容および支持するための縫合糸受容スロットを含み得る。あるいは、縫合糸クリップは、上記少なくとも１の縫合糸に取り付け可能である。複数の縫合糸が、上記内部保持具内に支持され得、それによって、上記縫合糸クリップが、上記縫合糸の各端部部分に接続される。
【０００８】
上記縫合糸パッケージは、外側囲壁を含み得、この外側囲壁は、その折り畳まれた状態で上記内部保持具部材および上記外部ジャケットを受容するためのパウチを規定する。
【０００９】
別の好ましい実施形態では、複数の外科用ニードル縫合糸のための縫合糸パッケージは、パネルの第１および第２の列を含む。この第１の列は、複数のニードル縫合糸を支持するための主支持パネル、および上記主支持パネルの個々の対向するより長い辺に沿ってこの主支持パネルに折畳み可能に接続される一対の側方支持パネルを含み、それによって、上記側方支持パネルが上記主支持パネル上に折り畳まれ上記縫合糸を少なくとも部分的に囲む。上記第２の列は、上記主支持パネルの第１のより短い辺に沿って上記主支持パネルに折畳み可能に接続されるカバーパネルを含み、そして上記支持パネル上に折り畳まれるように適合されている。縫合糸クリップは、上記縫合糸の端部部分の各々に取り付け可能であり、好ましくは、上記支持パネルからの上記縫合糸の同時取り出しを許容するためにニードルの近位方向にある。
【００１０】
上記縫合糸パッケージは、複数の閉鎖パネルを有する第３の列を含み得る。この閉鎖パネルは、主閉鎖パネルであって、この主閉鎖パネルの第２のより短い辺に沿って上記主支持パネルに折畳み可能に接続される主閉鎖パネル、およびこの主閉鎖パネルの個々の対向するより長い辺に沿ってこの主閉鎖パネルに折畳み可能に接続される一対の側方閉鎖パネルを含む。この主閉鎖パネルは、上記主支持パネルの第２のより短い辺に沿って上記カバーパネル上に折り畳まれ、そして上記側方閉鎖パネルが上記主閉鎖パネルのより長い辺に沿って折り畳まれるように適合され、上記支持パネルおよびカバーパネルを少なくとも部分的に囲む。
【００１１】
外側ジャケットが提供され得る。この外側ジャケットは、互いに対して折畳み可能に接続され、そして互いの上に折り畳まれて内部ポケットを形成するように適合された少なくとも２つの外部パネルを有する。この内部ポケットは、上記支持パネル、カバーパネルおよび閉鎖パネルを、その折り畳まれた状態で少なくとも部分的に収容するよう適合されている。この外側ジャケットは、３つのパネルを含む。
【００１２】
複数の縫合糸を包装する方法もまた、開示される。
【００１３】
本発明はまた、少なくとも１つの縫合糸を包装する方法に関し、この方法は、内部保持部材を提供する工程であって、上記内部保持部材が：主支持パネル、および上記主支持パネルに上記主支持パネルの個々の対向する主エッジに沿って折畳み可能に接続される一対の側方支持パネルを有する支持パネルの列；および上記主パネルのより小さいエッジに沿って上記主パネルに折畳み可能に接続されるカバーパネルを備える工程；上記支持パネルの列の主支持パネル上に複数の縫合糸を配置する工程；上記縫合糸の各縫合糸の端部部分に縫合糸クリップを取り付ける工程；少なくとも部分的に上記縫合糸を囲むように上記側方支持パネルを、上記主エッジに沿って上記主支持パネル上に折り畳む工程；上記主支持パネルのより小さいエッジに沿って上記カバーパネルを折り畳む工程であって、それによって、上記カバーパネルが上記支持パネルを少なくとも部分的に覆う工程；および上記縫合糸端部部分および上記縫合糸クリップを、上記支持パネルの後部側面に隣接して、上記縫合糸端部部分および上記縫合糸クリップが接近可能であるように位置決めする工程を包含する。
【００１４】
好ましくは、上記内部保持部材が、閉鎖パネルの列を含み、上記閉鎖パネルが、主閉鎖パネルであって、上記主閉鎖パネルの第２のより短いエッジに沿って上記主支持パネルに折畳み可能に接続される主閉鎖パネル、および上記主閉鎖パネルの個々に対向する主エッジに沿って上記主閉鎖パネルに折畳み可能に接続される一対の側方閉鎖パネルを含み、そしてさらに、上記主閉鎖パネルを、上記主支持パネルの第２のより小さいエッジに沿って上記主支持パネル上に折り畳み、そして上記側方閉鎖パネルを、上記主閉鎖パネルの主エッジに沿って折畳み、上記支持パネルおよびカバーパネルを少なくとも部分的に囲む。
【００１５】
上記配置する工程が、複数の縫合糸を上記主支持パネル上に巻きつけること包含し得る。
【００１６】
上記方法は、外部ジャケットを提供する工程をさらに含み、上記外部ジャケットが互いに折畳み可能に接続されポケットを規定する複数の外側パネルを含み、そしてさらに、上記内部保持部材を、上記外部ジャケットのポケット内で折り畳まれた状態で位置決めする工程をさらに含み得る。
【発明の効果】
【００１７】
外科用縫合糸パッケージは、互いの上に折り畳むように適合されて内部ポケットを形成する複数のパネルを含む外部ジャケット、およびこのポケット内に位置決めするための内部保持具を備え、この内部保持具が、少なくとも１つの縫合糸を支持するための主支持パネル、および主支持パネルの個々の対向するより長い辺に沿って主支持パネルに折畳み可能に接続される一対の側方支持パネルを含み、この側方支持パネルが、主支持パネル上に折り畳まれるように適合され、少なくとも１つの縫合糸を少なくとも部分的に囲み、主支持パネルのより短い辺に沿って主支持パネルに折畳み可能に接続されるカバーパネル、および閉鎖パネルの列をさらに備えるので、縫合糸を取り出す際にもつれることはない。
【発明を実施するための最良の形態】
【００１８】
ここで、図面を参照して（図面では、同様の参照番号は、いくつかの図面を通じて類似の構成要素を示す）、図１〜２は、参照番号１０として一般に描写される本開示に従う縫合糸パッケージを示す。縫合糸パッケージ１０は、囲壁５０、外側ジャケット１００、およびこの外側ジャケット１００内に固定される内部保持具２００を含む。囲壁５０は、外側ジャケット１００および内部保持具２００がそれらの個々の折り畳み状態にあるとき、この外側ジャケット１００および内部保持具２００を受容する。図２では、囲壁５０は取り除かれている。
【００１９】
囲壁５０は、上部シート５２および底部シート５４を含む。上部シート５２は、ポリエチレン、またはその他の同様の材料のような透明のプラスチックから形成され得る。底部シート５４は、板紙、ファイバーボード、Ｔｙｖｅｋ（登録商標）、アルミニウムホイルまたはその他の同様の材料から構築され得る。上部シート５２および底部シート５４の構築の材料は、それを通る湿気の透過を、好ましくは防ぐか、または多いに低減する。上部シート５２および底部シート５４は、形状がほぼ矩形であり、そして実質的に同じサイズである。シート５２、５４は、接着剤、セメントなどによってそれらの個々の周縁に沿って一緒に接着される。１つの好ましい実施形態では、剥離可能な接着剤の周縁線が用いられる。シート５２、５４は、１つの隅で、接着を避けるフラップ５６、５８を規定する。フラップ５６、５８は、使用者によって容易に握られるように接着されないままであり、囲壁５０を開くとき、シート５２、５４の少なくとも部分的な分離を容易にする。囲壁５０は、外側ジャケット１００および内部保持具２００を密封してシールし、保管された縫合糸３００に汚染物が到達することを防ぎ、そして上記で述べたように、湿気の通過を最小にする。外側ジャケット１００は、図１に描写されるように、囲壁５０の上部シート５２を通じて見ることができる。
【００２０】
図２〜３を参照して、外側ジャケット１００が論議される。外側ジャケット１００は、折り畳まれた状態にあるとき、折り畳まれた内部保持具２００を受容するように内部ポケット１０２を規定する。図３では、外側ジャケット１００は、平坦な、折り畳まれていない、または折り畳まれる前の状態で示される。外側ジャケット１００は、板紙、ファイバーボード、カード紙またはＴｙｖｅｋ（登録商標）などのような任意のその他の繊維質材料から構築され得る。外側ジャケット１００は、好ましくは、一連の相互接続されたパネルを形成するためにダイ切断されている。詳細には、外側ジャケット１００は、パネル１１０、１２０、１３０および上部パネル１４０を含む。パネル１１０、１２０、１３０は、形状がほぼ矩形であり、そして実質的に同じサイズである。パネル１１０、１２０、１３０は、各々、長軸方向軸「ｘ」に対して長軸方向エッジとしてまた言及される個々の対向するより長い辺１１２、１２２、１３２、および横方向エッジとしてもまた言及される個々の対向するより短い辺１１４、１２４、１３４を有する。中央に位置するパネル１１０は、その下部のより短い辺１１４に隣接する発泡体片１５０を含む。発泡体片１５０は、内部保持具２００が折り畳まれた外側ジャケット１００のポケット１０２内に挿入されるときにストップとして機能する。発泡体片１５０はまた、折り畳まれたパネル１２０、１３０を、中央に位置決めされたパネル１１０から所望のまたは所定の距離に維持し得る。パネル１３０は、中央に位置決めされたパネル１１０に隣接する１つのより長い辺１３２に沿った長軸方向スロット１３６を含む。パネル１２０は、その中に形成されたタブ１２６を含む。タブ１２６は、長軸方向スロット１３６と協働するための寸法であり、パネル１１０、１３０を離脱可能に固定し、それによって、パネル１１０、１２０、１３０を折り畳まれた状態に固定する。
【００２１】
ガセット１６０、１７０は、パネル１２０、１３０および中央に位置決めされたパネル１１０を個々に相互接続する。ガセット１６０、１７０は、形状が実質的に三角形であり、外側ジャケット１１０の下側端部に向かって内方にテーパー状である。ガセット１６０、１７０は、パネル１２０、１３０がパネル１１０上に折り畳まれるとき、それらがパネル１１０上に折り畳まれ、そしてそれと接触することを防ぐ。ガセット１６０、１７０はまた、折り畳まれた外部ジャケット１００に深さを提供し、それによって、折り畳まれたパネル１１０、１２０、１３０によって形成されるポケット１０２のサイズを増加する。ガセット１６０、１７０は、パネル１２０、１３０が中央に位置決めされるパネル１１０上にその周りで折り畳まれるより長い辺１１２、１２２、１３２に対応する２つの折り畳み線を規定する。ガセット１６０、１７０の三角形またはテーパー状形態は、ポケット１０２が、外側ジャケット１００の上部または開放端部に隣接するより大きな深さ、および外側ジャケット１００の下部端部に向かうより小さい深さを有することを確実にする。この配列は、折り畳まれた内部保持具２００が、ポケット１０２中に容易に挿入されることを可能にし、その一方、内部保持具２００が、この外側ジャケット１００の下部端部に隣接するポケット１０２内に摩擦によって係合されることを確実にする。
【００２２】
図２〜３を続いて参照し、上部パネル１４０は、パネル１２０の上部のより短い辺１２４に沿ってパネル１２０に折り畳み可能に接続されている。この点について、上部パネル１４０は、後方に折り畳まれ得、外側ジャケット１００内の内容物を剥き出す。上部パネル１４０は、中間折り畳み線１４２を含み、これは、それによって、上側上部パネル部分１４４および下側上部パネル部分１４６を規定する。上部パネル部分１４４は、上部パネルト部分１４６上に折り畳み線１４２に沿って折り畳むように適合され、外側ジャケット１００によって規定されるポケット１０２を囲む。上部パネル部分１４４は、パネル１１０の上側のより短い辺１１４またはパネル１３０の上側のより短い辺１３４を受容するような形態および寸法である弓状のスリット１４８を含み、上部パネル１４０を折り畳まれた状態に固定する。
【００２３】
内部保持具２００を受容するためのポケット１０２を形成するために外側ジャケット１００を折り畳むプロセスを詳細に説明する。最初に、図３を参照して、パネル１３０は、パネル１１０上により長い辺１３２に沿って、パネル１３０の後部面１３０ａが図４に描写されるように曝されるように折り畳まれる。その後、パネル１２０がより長い辺１２２に沿ってパネル１１０、１３０上に、パネル１２０の後部面１２０ａが図５に示されるように曝されるよう折り畳まれる。（あるいは、パネル１１０、１３０が、パネル１２０上に折り畳まれ得る。）パネル１１０、１２０、１３０を互いに折り畳んで、パネル１２０のタブ１２６が、次いで、パネル１３０のスロット１３６中に挿入され、パネル１２０、１３０を離脱可能に固定する。図６は、開放位置にある上部パネル１４０、および折り畳まれた内部保持具２００の受容のために接近可能なポケット１０２とともに、外側ジャケット１００の前方側面を示す。
【００２４】
ここで、図７を参照して、内部保持具２００が論議される。内部保持具２００は、平坦な、折り畳まれていないか、または折り畳み前の状態で示される。内部保持具２００は、外側ジャケット１００と組み合わせて本明細書で識別された紙または任意のその他の同様の材料から構築される。内部保持具２００は、支持パネルの第１または中央の列、すなわち、中央に位置決めされた主支持パネル２１０、およびこの主支持パネル２１０の各々の辺上の側方支持パネル２１２、２１４を含む。主支持パネル２１０は、この主支持パネル２１０の上側および下側のより短い辺２１８に隣接する開口部２１６を規定する。開口部２１６は、巻きつけデバイス（図示せず）の巻き付けピンまたはペグを受容するようなサイズまたは形態である。縫合糸３００は、手動によるか、または自動化手段のいずれかによってこれら巻き付けピンの周りに巻き付けられ得る。主支持パネル２１０は、より長い辺２２０およびより短い辺２１８を規定して形態がほぼ矩形である。側方支持パネル２１２、２１４は、形状がほぼ台形であり、そしてガセット２２４を介して主支持パネル２１０のより長い辺２２０に相互接続される。ガセット２２４は、側方支持パネル２１２、２１４が主支持パネル２１０上にその周りで折り畳まれる、より長い辺２２０、２２２に対応する２つの折り畳み線を規定する。ガセット２２４は、折り畳まれた支持パネルの深さを増加し、それによって、縫合糸３００を保管するために十分なスペースを提供する。
【００２５】
内部保持具２００は、この内部保持具２００のパネルの第２の列を形成するカバーパネル２３０をさらに含む。カバーパネル２３０は、ガセット２３４を通じて主支持パネル２１０の上側のより短い辺２１８に接続されるより短い辺２３２を含む。ガセット２３４は、パネル２３０が主支持パネル２１０上にその周りで折り畳まれる２つの折り畳み線を規定する。カバーパネル２３０は、カバーパネル２３０の周縁エッジ（例えば、より長い辺２３８）からカバーパネル２３０の中央領域中に延びる縫合糸受容スロット２３６を有し得る。縫合糸受容スロット２３６は、縫合糸３００の端部部分を受容するために利用され得、以下で論議されるように、内部保持具２００内で、縫合糸端部部分および取り付けられたニードル４００を支持することを支援する。あるいは、縫合糸受容スロット２３６は、縫合糸３００の端部部分に取り付けられる縫合糸クリップ５００を受容し得る。さらなる代替物として、カバーパネル２３０は、縫合糸受容スロット２３６を欠いていても良い。
【００２６】
内部保持具２００は、第３の閉鎖パネルの列、すなわち、中央閉鎖パネル２４０、およびこの中央閉鎖パネル２４０に接続された一対の側方閉鎖パネル２４２、２４４をさらに含み得る。中央閉鎖パネル２４０は、ガセット２４８を介して主支持パネル２１０のより短い辺２１８へのより短い辺２４６に沿って接続される。ガセット２４８は、その周りで中央パネル２４２から主支持パネル２１０上に折り畳まれる２つの折り畳み線を規定する。中央閉鎖パネル２４２は、弓状または窪んだ下側のより短い辺２５０を規定する。より短い辺２５０の窪んだ形態は、以下に論議されるように、組み立てられたパッケージの保管されたニードル４００を剥き出す際に支援する。中央閉鎖パネル２４２は、より長い辺２５２をさらに規定する。側方閉鎖パネル２４２、２４４は、より長い辺２５４、２５６を含み、そしてガセット２５８、２６０を介して中央閉鎖パネル２４２にそれぞれ接続される。ガセット２５８、２６０は、各々、２つの折り畳み線を規定する。側方閉鎖パネル２４２、２４４は、タブ２６２およびスロット２６４をそれぞれ含む。側方パネル２４４のスロット２６４は、側方パネル２４２のタブ２６２を受容するようなサイズであり、側方閉鎖パネル２４２、２４４を折り畳まれた状態に保持することを容易にする。
【００２７】
内部保持具２００を縫合糸３００で装填すること、およびこの内部保持具２００を折り畳むことの好ましい順序が論議される。最初、折り畳まれる前の内部保持具２００を、巻き付けデバイス上に、開口部２１６がこの巻き付けデバイス（図示せず）の巻き付けペグと整列し、そしてそれを受容するように配置する。取り付けられたニードル４００をもつ個々の縫合糸３００が、手動または自動化縫合糸巻き付けプロセスのいずれかで巻き付けペグの周りに巻き付けられる。縫合糸３００は、１つの束として集合的に、または個々に巻き付けペグの周りに巻き付けられ得る。好ましくは、縫合糸３００は、ニードル４００に隣接する縫合糸端部部分３０２に取り付けられた縫合糸クリップ５００を有する。縫合糸クリップ５００は、これら縫合糸を束に、そして好ましくは、縫合糸端部３０２のもつれを最小にする、間隔を置かれた関係で保持する。縫合糸クリップ５００はまた、縫合糸３００が、個々の縫合糸としてよりもむしろ束として内部保持具２００から取り出されることを可能にする。縫合糸クリップ５００は、上記巻き付けプロセスの前または後に個々の縫合糸３００に取り付けられ得る。図７Ａに描写される１つの好ましい実施形態では、縫合糸クリップ５００は、弾性フィンガー５０２を含む。弾性フィンガー５０２は、縫合糸３００を受容するために方向矢印「ｐ」によって示されるように、縫合糸クリップ５００から離れて移動または旋回され得る。好ましくは、フィンガー５０２は、その正常位置に戻るに十分な弾性を有し、縫合糸３００と摩擦によって係合する。縫合糸クリップ５００のその他の配列もまた、別個に取り付けられたクランプ、アパーチャ、縫合糸クリップ５００を通って延びるスリットなどを含んで想定される。一旦、縫合糸３００が上記巻き付けペグ上に巻き付けられると、これら巻き付けペグは除去され、そして内部保持具２００が折り畳まれ得る。
【００２８】
一旦、縫合糸３００が、図７に示されるように、中央支持パネル２１０によって支持される位置にあると、側方支持パネル２１２が、ガセット２２０によって規定される２つの折り畳み線の辺に沿ってこの中央支持パネル２１０上に折り畳まれる。側方支持パネル２１４は、次に、ガセット２２４によって規定される２つの折り畳み線に沿って側方支持パネル２１２の後部側面２１２ａ上にあり、側方支持パネル２１４の後部側面２１４ａが剥き出る。図８は、中央支持パネル２１０上でそれらの折り畳まれた状態にある側方支持パネル２１２、２１４を示す。認識されるように、ガセット２２４は、装填された縫合糸３００を収容するために十分な深さを折り畳まれた支持パネル２１０、２１２、２１４に提供する。
【００２９】
図９を参照して、カバーパネル２３０は、主支持パネル２１０上に折り畳まれ、取り付けられたニードル４００に隣接する縫合糸端部部分３０２および縫合糸クリップ５００を除いて、巻かれた縫合糸３００を覆う。縫合糸クリップ５００および取り付けられたニードル４００は、好ましくは、カバーパネル２３０の後部側面２３０ａ上に位置決めされ、そして、好ましくは、主支持パネル２１０のより短い辺２１８上に吊り下げられる。代替物として、クリップ５００は、カバーパネル２３０の縫合糸受容スロット２３６を係合するように操作され得る。さらなる代替として、ニードル４００から離れた縫合糸クリップ５００の側面上の個々の縫合糸部分３０４は、カバーパネル２３０の縫合糸受容スロット２３６を通され、そしてカバーパネル２３０が、図９Ａに描写されるように、主支持パネル２１０上に折り畳まれる。このようにして、縫合糸受容スロット２３６は、カバーパネル２３０の後部側面２３０ａに対して吊り下げられる様式で取り付けられたニードル４００および縫合糸クリップ５００とともに個々の縫合糸３００を支持する。
【００３０】
一旦、カバーパネル２３０がその位置にあると、中央閉鎖パネル２４０は、図９の矢印「ａ」の方向に、ガセット２４８によって提供される２つの折り畳み線に沿ってカバーパネル２３０の後部側面２３０ａ上に折り畳まれる。図１０は、折り畳まれた状態にある中央閉鎖パネル２４０を示す。図１０では、ニードル支持パネル２１０の後部側面２１０ａが示される。側方閉鎖パネル２４２、２４４が、次いで、主支持パネルの辺２１０の周りで折り畳まれ、そしてタブ２６２がスロット２６４内に挿入され、図１１に描写されるように、側方閉鎖パネル２４２、２４４をともに固定する。好ましくは、縫合糸クリップ５００は、弓状のより短い辺２５０の上に垂れ下がるように操作され、図１２に描写されるように、縫合糸クリップ５００、ならびに取り付けられたニードル４００および縫合糸３００への促進された接近を提供する。
【００３１】
再び、図２を参照して、内部保持具２００は、次いで、外側ジャケット１００のポケット１０２内に位置決めされ、そして外側ジャケット１００が摩擦により内部保持具２００に係合し、そして／またはこの内部保持具が発泡体片１５０に接する位置に進行される。上部パネル部分１４４は、折り畳み線１４２に沿って上部パネル部分１４６上に折り畳まれる。折り畳まれた位置では、パネル部分１４４のタブ１４８が、パネル１１０の上部のより短い辺１１４を係合し、それ故、内部保持具２００を外側ジャケット１００内に固定する。最後に、外側ジャケット１００内に固定して含まれる内部保持具２００は、外側囲壁５０内にシールされる。
【００３２】
縫合糸の束３００に接近するために、外側囲壁５０は、フラップ５４、５６を分離することにより開かれる。次に、カバーパネル１４０のタブ１４８が、パネル１１０の上部のより短い辺１１４から外され、そしてパネル１４０が折り畳み線１２４に沿って折り戻される。内部保持具２００が次いで外側ジャケット１００のポケット１０２から取り出される。パネル２４２、２４４は、次に、まず、パネル２４２のタブ２６２を、パネル２４４のスロット２６４から外すことによって折り畳みを解かれる。縫合糸の束３００は、それ故、接近可能であり、そして縫合糸クリップ５００を用いて束として取り出され得る。縫合糸３００の束としての取り出しは、これら縫合糸が個々に取り出される場合、そうでなければ存在し得る、縫合糸のもつれの可能性を大いに最小限にする。所望であれば、内部保持具２００の残りは、縫合糸３００を取り出す前に折り畳みを解かれ得る。
【００３３】
種々の改変が、本明細書に開示される実施形態になされ得ることが理解される。従って、上記の説明は、制限的ではなく、好ましい実施形態の単なる例示として解釈されるべきである。当業者は、本明細書に添付の特許請求の範囲の範囲および思想内のその他の改変物想定する。
【００３４】
（要約）
少なくとも１つの外科用縫合糸を保管するための外科用縫合糸パッケージは、互いに折畳み可能に接続され、そして互いの上に折り畳むように適合されて内部ポケットを形成する複数のパネルを含む外部ジャケット、および該外部ジャケットのポケット内に位置決めするための内部保持具を備える。この内部保持具は、少なくとも１つの縫合糸を支持するための主支持パネル、およびこの主支持パネルの個々の対向するより長い辺に沿ってこの主支持パネルに折畳み可能に接続される一対の側方支持パネルを有する支持パネルの列を含む。この側方支持パネルは、少なくとも１つの縫合糸を少なくとも部分的に囲む主支持パネルの列上に折り畳まれるように適合されている。カバーパネルが、この主支持パネルのより短い辺に沿ってこの主支持パネルに折畳み可能に接続され、そして上記支持パネル上に折り畳まれるように適合されている。主閉鎖パネルを含む閉鎖パネルの列は、上記主閉鎖パネルの第２のより短い辺に沿って上記主支持パネルに折畳み可能に接続され、そして一対の側方閉鎖パネルは、上記主閉鎖パネルの個々の対向するより長い辺に沿ってこの主閉鎖パネルに折畳み可能に接続される。この主閉鎖パネルは、上記主支持パネルの第２のより短い辺に沿ってこの主支持パネル上に折り畳まれるように適合され、そして上記側方閉鎖パネルは、上記主閉鎖パネルのより長い辺に沿って折り畳まれるように適合され、上記支持パネルおよびカバーパネルを少なくとも部分的に囲む。
【産業上の利用可能性】
【００３５】
ニードルに装着された縫合糸を保持するための折り畳み可能な縫合糸パッケージが提供される。
【図面の簡単な説明】
【００３６】
本開示の好ましい実施形態は、図面への参照によってより良好に認識される。ここで：
【図１】図１は、本開示の原理に従って構築された、囲壁、折り畳み可能な外側ジャケットおよび折り畳み可能な内部保持具を含む縫合糸パッケージの前方平面図である。
【図２】図２は、外側ジャケットのポケット内に位置決めされた内部保持具を備えた外側ジャケットの前方平面図である。
【図３】図３は、折り畳まれていない状態の外側ジャケットの前方平面図である。
【図４】図４は、図５〜６とともに、ポケットを形成するために外側ジャケットを折り畳む好ましい順序を示す平面図である。
【図５】図５は、図４および図６とともに、ポケットを形成するために外側ジャケットを折り畳む好ましい順序を示す平面図である。
【図６】図６は、図４〜６ととともに、ポケットを形成するために外側ジャケットを折り畳む好ましい順序を示す平面図である。
【図７】図７は、折り畳まれていない状態にある内部保持具の前方平面図である。
【図７Ａ】本発明で用いられ得る縫合糸クリップを示す図である。
【図８】図８は、図９〜１２とともに、複数の縫合糸のための縫合糸区画を形成するための内部保持具を装填および折り畳む好ましい順序を示す平面図である。
【図９】図９は、図８および図１０〜１２とともに、複数の縫合糸のための縫合糸区画を形成するための装填および折り畳みの好ましい順序を示す平面図である。
【図９Ａ】図９Ａは、図８〜９および図１０〜１２とともに、複数の縫合糸のための縫合糸区画を形成するための装填および折り畳みの好ましい順序を示す平面図である。
【図１０】図１０は、図８〜９および図１１〜１２とともに、複数の縫合糸のための縫合糸区画を形成するための装填および折り畳みの好ましい順序を示す平面図である。
【図１１】図１１は、図８〜１０および図１２とともに、複数の縫合糸のための縫合糸区画を形成するための装填および折り畳みの好ましい順序を示す平面図である。
【図１２】図１２は、図８〜１１とともに、複数の縫合糸のための縫合糸区画を形成するための装填および折り畳みの好ましい順序を示す平面図である。
【符号の説明】
【００３７】
５０  囲壁
５２  上部シート
５４  底部シート
５６、５８  フラップ
１００  外側ジャケット
１０２  ポケット
１１０  パネル
１２６  タブ
１４０  上部パネル
１４２  中間折畳み線
１４６  上部パネル部分
１４８  スリット
２００  内部保持具
３００  縫合糸
５００  縫合糸クリップ
【図１】
2007275568.tif 000003
【図２】
2007275568.tif 000004
【図３】
2007275568.tif 000005
【図４】
2007275568.tif 000006
【図５】
2007275568.tif 000007
【図６】
2007275568.tif 000008
【図７】
2007275568.tif 000009
【図７Ａ】
2007275568.tif 000010
【図８】
2007275568.tif 000011
【図９】
2007275568.tif 000012
【図９Ａ】
2007275568.tif 000013
【図１０】
2007275568.tif 000014
【図１１】
2007275568.tif 000015
【図１２】
2007275568.tif 000016